(57)【要約】本発明の危険物安全開閉容器は、上部を開口した入口端部の下部に長溝を部分形成した係止突起を内向に突出させるとともに、その下部外周縁にガイド突起を形成した容器部と、前記容器部の係止突起にベルト手段を介して回転可能に結合し、ベルト手段にリンク部を介して一体に連結されて、入口端部に開閉可能に結合される蓋手段からなる蓋部と、前記蓋部に垂直下方に結合して、蓋部と一体に連動するようにし、外向きに突出したロック突出部が、蓋部の回転により係止突起或いは長溝に位置することに応じて、蓋部の開閉を選択的に行うことができるようにした安全ロック部とで構成する。【選択図】図１
2009538795.tif 000002
【特許請求の範囲】
【請求項１】
上部を開口した入口端部の下部に長溝を部分形成した係止突起を内向きに突出させると同時に、その下部外周縁にガイド突起を形成する容器部と、
前記容器部の係止突起にベルト手段を介して回転可能に結合し、ベルト手段にリンク部を介して一体に連結されて、入口端部に開閉可能に結合される蓋手段からなる蓋部と、
前記蓋部に垂直下方に結合して、蓋部と一体に連動するようにし、外向きに突出させたロック突起が、蓋部の回転によって係止突起或いは長溝に位置することに応じて、蓋部の開閉を選択的に行うことができるようにした安全ロック部で構成されることを特徴とする危険物安全開閉容器。
【請求項２】
上部を開口した入口端部の下部方向の外周縁にガイド突起を複数形成し、入口端部の内周縁の下部方向には係止突起を内向きに突出させて形成するとともに、係止突起の一部分に長溝を切欠した容器部と、
前記容器部の係止突起に回転可能に結合するように、スライド突起を内周縁に形成するベルト手段に、屈曲自在なリンク部を媒介にして蓋手段を一体に連結し、蓋手段の縁には密封フランジを垂直下方に形成して、内周縁に突出した密閉突起が、入口端部の外周縁に弾力的にかかるようにして、密封フランジと同心円状に内部に結合フランジを形成した後、その内周縁に結合突起を形成し、密封フランジの外周縁には開閉取手を形成する蓋部と、
前記蓋部の結合フランジの内周縁に結合するように、固定突起を外周縁に形成して、弾力的に蓋部の結合突起にかかって一体に固定されるようにし、下端部の一側にはロック突起を外部に突出させて、蓋部と一体に連動する時にロック突起が容器部の長溝を通じて係止突起の下端部に位置するようにした後、蓋部の回転によって選択的に蓋部と容器部の係止状態を保持及び解除するようにする安全ロック部で構成することを特徴とする請求項１に記載の危険物安全開閉容器。
【請求項３】
上部を開口した入口端部の下部方向の外周縁にガイド突起を複数形成し、入口端部の内周縁の下部方向には密閉突起と係止突起を複数突出させて形成し、密閉突起より係止突起が内向きにより突出するように形成した後、係止突起の一部分に長溝を切欠した容器部と、
前記容器部の係止突起に回転可能に結合するように、ベルト手段の内周縁にスライド突起を形成し、ベルト手段に屈曲自在なリンク部を媒介にして蓋手段を一体に連結し、蓋手段の縁には密封フランジを垂直下方に形成して内周縁に突出させた密閉突起が、容器部の入口端部の外周縁に弾力的にかかるようにするとともに、密封フランジと同心円状に内部に結合フランジを形成し、容器部に結合時に結合フランジの外周縁が係止突起に密着されるようにして、容器の内部を完全密閉できるようにすると同時に、密封フランジの外周縁には開閉取手を形成する蓋部と、
前記蓋部の結合フランジ内周縁に結合するように、外周縁に固定突起を形成して、弾力的に蓋部の結合突起にかかって一体に固定されるようにし、固定突起の下部を内向きに折曲して下端部の一側に突出させたロック突起が容器部の密閉突起に干渉されないようにするとともに、蓋部の開閉のために一体に連動する時に、ロック突起が容器部の長溝を介して係止突起の下端部に位置するようにした後、蓋部の回転によって選択的に蓋部と容器部の係止状態を保持及び解除できるようにする安全ロック部で構成することを特徴とする請求項１に記載の危険物安全開閉容器。
【請求項４】
前記容器部の複数のガイド突起間の外周縁に、標識突起を連続的に形成し、容器部の長溝が位置する幅だけ標識突起に位置標示端部を形成して、ベルト手段のスライド突起の下方に形成される摩擦突起が標識突起に部分噛合するようにして、容器部で蓋部を開放させるために回転する時に、標識突起と摩擦突起との間で摩擦音が発生するようにするとともに、長溝にロック突起が位置すると、摩擦突起が標識突起から離れて位置標示端部に位置し、それ以上摩擦音が発生しないように構成することを特徴とする請求項２又は請求項３に記載の危険物安全開閉容器。
【請求項５】
前記蓋部の結合フランジの後側端部には、線状の延長突起を形成して、容器部においてリンク部を媒介として開閉される蓋部の延長突起が、容器部の入口端部にかかって蓋部の開閉角度が制限されるように構成することを特徴とする請求項１又は請求項２に記載の危険物安全開閉容器。
【請求項６】
前記容器部の入口端部の内周縁には、回転制限部材を対称に形成して、蓋部の回転角度が制限されるように構成することを特徴とする請求項２又は請求項３に記載の危険物安全開閉容器。
【請求項７】
前記蓋部の結合フランジの内周縁に、ガイド突起を垂直に形成し、これと対応する安全ロック部の外周縁にガイド溝を形成して、相互結合により蓋部に安全ロック部が定位置に結合されるように構成することを特徴とする請求項２又は請求項３に記載の危険物安全開閉容器。
【発明の詳細な説明】
【技術分野】
【０００１】
本発明は、危険物安全開閉容器に関するもので、より詳細には、安全ロック及び解除装置を２段階に分けて行うようにすることで、子供が簡単に開封できないようにすると同時に、密封力を向上させて収納物の変質を防止できるようにした危険物安全開閉容器に関するものである。
【背景技術】
【０００２】
洗浄剤、接着剤等、各種化学生活用品及び薬品は、飲んだり吸い込んだ場合、中毒及び服毒による安全事故等の危険性が心配されている。
【０００３】
このような危険性を解消するために、子供保護用包装制度が導入された各種化学生活用品及び薬品容器の安全基準に基づいて、成人が開封することは難しくないが、５才未満の子供が所定時間以内に収納物を取り出すことを難しくした容器を開発し、各種家庭用化学生活用品及び薬品に対して子供の中毒及び服毒事故を予防することができる安全容器が提示されている。
【０００４】
このような危険物安全容器の代表的なものとしては、開封方法によって蓋を上から押しながら回して蓋を開封するプッシュダウン＆ターン・キャップ（push down & turn cap）タイプと、蓋の両側面を押しながら蓋を回して開封するスクイズ・キャップ（squeezecap）タイプとがある。
【０００５】
まず、一般的なタイプの容器は、韓国登録実用新案出願２０−２００５−２６０６０号の記載のように、容器の入口と結合される下キャップと、下キャップの上面に結合される上キャップとからなり、上下キャップは、必要時に凹凸結合して同時に開くようにする安全キャップにおいて、上面、縁に下キャップ凹部１１を所定間隔で高さ方向に形成する下キャップ１０と、押した時に前記下キャップ凹部１１と結合可能な上キャップ凹部２１を設けて、上面の中央底面に下方に湾曲した湾曲部２２を有する上キャップ２０を含んでおり、湾曲部は、普段は、下キャップ１０の下キャップ凹部１１と上下に離隔する高さを有し、上キャップ２０を押すと、下キャップ１０の下キャップ上面１３に湾曲部２２の直径が大きくなるように押されて、それぞれの凹部（２１、１１）が結合されるように構成されている。
【０００６】
このような構成の安全キャップの作動方法は、上キャップ２０を押すと同時に反時計方向に回転させると、上下キャップ（２１、１０）が同時に回転しながら、容器のフック突起によってスカート１６が分離帯１７から分離され、次いで、上、下キャップ（２０、１０）が同時に容器１から分離される。
【０００７】
この際、上キャップ２０は、上キャップ上面２６の底面の中央に湾曲部２２を有し、湾曲部２２は、高さだけ下方に突出して下キャップ上面１３をプッシュ状態で支持し、高さは、各傾斜面（１１−２、２１−２）の結合を遮断する高さを有しており、上キャップ２０を回すと自転して回転し、下キャップ１０は容器１に結合されており、操作性が難しくて、子供には簡単に開放することができないようになっている。
【０００８】
しかし、従来の技術によるタイプの安全キャップは、その構成部品が多く、回転力を伝達するそれぞれの部品形状が複雑なため、射出成形による製造が難しくなるという問題点があった。
【０００９】
また、上記のように製造された安全キャップは、薬品等の収納物を容器の内部に充填して容器にキャップをするキャッピング工程時において、キャップを容器に加圧すると同時に回転させるキャッピング工程が必要となり、複雑なキャッピング工程による仕上げ工程が追加されると同時に、これを実現するための別のシステムが要求されるため、安全キャップに薬品等の収納物を充填した商品の製造コストを上昇させ、製造効率を低下させるという問題点が発生する。
【００１０】
このように製造された安全キャップは、その構造が複雑なため、偽造防止機能の設置が容易ではなく、ラベル紙や単純な形態の偽造防止手段が設けられており、摸倣商品の製造可能性を常に抱えているという問題点もある。
【００１１】
特に、前記タイプは、大分前から既に一般に公開されて安全開閉方法が一般的に使用されているくらい、一般人や子供にも周知されており、その安全性を期待することが難しいという問題点がある。
【００１２】
なお、従来の技術によるスクイズキャップタイプの容器は、韓国登録実用新案出願２０−２００５−３１９２２号に記載のように、容器２のネック部３にネジ結合され、前記ネック部３に形成された係止突起４にキャップ５の下部に分離部６で連結された係止リング７をかけて支持したものにおいて、前記キャップ５の両側の内周面にネジ部１２を形成する側面加圧部１０を内側に加圧できるように連結形成し、前記側面加圧部１０のネジ部１２は、前記側面加圧部１０を加圧するまでは、容器２のネック部３に形成されるネジ部１３と空回りするように構成し、前記側面加圧部１０を加圧した状態でのみ、互いに噛み合って開閉操作ができるように構成されている。
【００１３】
このような従来の技術による安全キャップは、キャップ５の両側の側面加圧部１０を内側に加圧した状態でのみ、側面加圧部１０の内周面に形成されたネジ部１２と、容器ネック部３のネジ部１３とが互いに噛み合ってキャップ５を開放することができるようになっている。
【００１４】
しかし、従来の技術によるスクイズキャップタイプの容器は、加圧部を介して加圧すると同時に回転させる方法でキャップを開封できるようにしたものであって、加圧力と回転力を同時に加えるようにし、開封する力に応じて開封状態が決定されており、開封方法の難易度が相対的に低く、子供保護用包装の実効性を確保することに限界がある。
【発明の開示】
【発明が解決しようとする課題】
【００１５】
したがって、本発明の主な目的は、既存の安全容器の開閉方法である２段階方式を同時に使用して開封するのではなく、容器部における蓋部の回転を通じて安全ロックを解除する方式の後に、蓋部を上向きに押してオープンするという２段階に分けた方式で開封できるようにして、子供が簡単に安全容器を開封できないようにし、危険物安全開閉容器の安定性を向上させることにある。
【００１６】
また、本発明の他の目的は、蓋部を回転した時に摩擦音を発生させ、安全ロック解除位置にセットされると摩擦音を消滅させることにより、安全ロック状態を摩擦音の発生有無を通じて簡単に区分できるようにすることにある。
【００１７】
また、本発明の他の目的は、蓋部のベルト手段と蓋手段に基準点を形成し、互いの基準点を一致させた場合、安全ロック状態を肉眼で判断できるようにすることで、安全ロック状態をより簡単に確認できるようにすることにある。
【００１８】
また、本発明の他の目的は、蓋部の結合フランジに延長突起を形成して、蓋部の開放時に、容器部の入口端部に所定の角度で制限的に開封されるようにすることで、蓋部の開封時に発生し得る揺れによって収納物が外部に漏れるのを防ぐことにある。
【００１９】
また、本発明の他の目的は、容器部の内周縁に係止突起及び密閉突起を形成し、蓋部の密封フランジと結合フランジの二重構造で結合するようにして、容器部内部の収納空間の密封状態を向上させ、外部空気による収納物の変質を防止することにある。
【００２０】
また、本発明の他の目的は、容器部の内周縁に回転制限突起を対称に形成して、回転によって安全ロック状態が決定されるロック突起の回転角度を制限することで、安全ロック状態の解除操作性を向上させることにある。
【００２１】
さらに、本発明の他の目的は、収納物を充填した容器部と、これを密閉する蓋部の開封前の状態を保持するために、蓋部の蓋手段及びベルト手段の対応する端部に破断形状の切取帯を一体に形成することで、安全容器の最初の開封前の状態を效果的に保持及び確認できるようにすることにある。
【００２２】
そして、本発明の他の目的は、薬品等の収納物を充填した安全容器において、容器部に蓋部を加圧する方法でキャッピング工程を行うことができるようにすることで、仕上げ工程を簡単且つ容易に行うことができるようにし、安全容器に収納物を充填した商品の製造コストを節減できると同時に、切取帯による偽造防止機能を同時に備えるようにし、製品に対する信頼度を向上させることにある。
【課題を解決するための手段】
【００２３】
上記目的を達成するためになされた本発明による危険物安全開閉容器は、上部を開口した入口端部の下部に長溝を部分形成した係止突起を内向きに突出させると同時に、その下部外周縁にガイド突起を形成する容器部と、前記容器部の係止突起にベルト手段を介して回転可能に結合し、ベルト手段にリンク部を介して一体に連結されて、入口端部に開閉可能に結合される蓋手段からなる蓋部と、前記蓋部に垂直下方に結合して、蓋部と一体に連動するようにし、外向きに突出させたロック突起が、蓋部の回転によって係止突起或いは長溝に位置することに応じて、蓋部の開閉を選択的に行うことができるようにした安全ロック部で構成されることを特徴とする。
【００２４】
本発明によれば、上部を開口した入口端部の下部方向の外周縁にガイド突起を複数形成し、入口端部の内周縁の下部方向には係止突起を内向きに突出させて形成するとともに、係止突起の一部分に長溝を切欠した容器部と、前記容器部の係止突起に回転可能に結合するように、スライド突起を内周縁に形成するベルト手段に、屈曲自在なリンク部を媒介にして蓋手段を一体に連結し、蓋手段の縁には密封フランジを垂直下方に形成して、内周縁に突出した密閉突起が、入口端部の外周縁に弾力的にかかるようにして、密封フランジと同心円状に内部に結合フランジを形成した後、その内周縁に結合突起を形成し、密封フランジの外周縁には開閉取手を形成する蓋部と、前記蓋部の結合フランジの内周縁に結合するように、固定突起を外周縁に形成して、弾力的に蓋部の結合突起にかかって一体に固定されるようにし、下端部の一側にはロック突起を外部に突出させて、蓋部と一体に連動する時にロック突起が容器部の長溝を通じて係止突起の下端部に位置するようにした後、蓋部の回転によって選択的に蓋部と容器部の係止状態を保持及び解除するようにする安全ロック部で構成することを特徴とする。
【００２５】
本発明によれば、上部を開口した入口端部の下部方向の外周縁にガイド突起を複数形成し、入口端部の内周縁の下部方向には密閉突起と係止突起を複数突出させて形成し、密閉突起より係止突起が内向きにより突出するように形成した後、係止突起の一部分に長溝を切欠した容器部と、前記容器部の係止突起に回転可能に結合するように、ベルト手段の内周縁にスライド突起を形成し、ベルト手段に屈曲自在なリンク部を媒介にして蓋手段を一体に連結し、蓋手段の縁には密封フランジを垂直下方に形成して内周縁に突出させた密閉突起が、容器部の入口端部の外周縁に弾力的にかかるようにするとともに、密封フランジと同心円状に内部に結合フランジを形成し、容器部に結合時に結合フランジの外周縁が係止突起に密着されるようにして、容器の内部を完全密閉できるようにすると同時に、密封フランジの外周縁には開閉取手を形成する蓋部と、前記蓋部の結合フランジ内周縁に結合するように、外周縁に固定突起を形成して、弾力的に蓋部の結合突起にかかって一体に固定されるようにし、固定突起の下部を内向きに折曲して下端部の一側に突出させたロック突起が容器部の密閉突起に干渉されないようにするとともに、蓋部の開閉のために一体に連動する時に、ロック突起が容器部の長溝を介して係止突起の下端部に位置するようにした後、蓋部の回転によって選択的に蓋部と容器部の係止状態を保持及び解除できるようにする安全ロック部で構成することを特徴とする。
【００２６】
本発明によれば、前記容器部の複数のガイド突起間の外周縁に、標識突起を連続的に形成し、容器部の長溝が位置する幅だけ標識突起に位置標示端部を形成して、ベルト手段のスライド突起の下方に形成される摩擦突起が標識突起に部分噛合するようにして、容器部で蓋部を開放させるために回転する時に、標識突起と摩擦突起との間で摩擦音が発生するようにするとともに、長溝にロック突起が位置すると、摩擦突起が標識突起から離れて位置標示端部に位置し、それ以上摩擦音が発生しないように構成することを特徴とする。
【００２７】
本発明によれば、前記蓋部の結合フランジの後側端部には、線状の延長突起を形成して、容器部においてリンク部を媒介として開閉される蓋部の延長突起が、容器部の入口端部にかかって蓋部の開閉角度が制限されるように構成することを特徴とする。
本発明によれば、前記容器部の入口端部の内周縁には、回転制限部材を対称に形成して、蓋部の回転角度が制限されるように構成することを特徴とする。
【００２８】
本発明によれば、前記蓋部の結合フランジの内周縁に、ガイド突起を垂直に形成し、これと対応する安全ロック部の外周縁にガイド溝を形成して、相互結合により蓋部に安全ロック部が定位置に結合されるように構成することを特徴とする。
【発明の効果】
【００２９】
上記のように、本発明の危険物安全開閉容器は、安全開閉方式を２段階に分けて開封できるようにすることにより、既存の安全容器の開閉時の２段階方式を同時に使用して開封する方式に比べて、子供が簡単に安全容器を開封できないようにして、危険物安全開閉容器の安全性を向上させることができるという効果がある。
【００３０】
また、本発明の危険物安全開閉容器は、摩擦音及び基準線の一致有無によって、安全ロックの解除状態が区分できるようにし、簡単に安全ロックの状態が把握できるようにして、危険物安全開閉容器の操作性を向上させることができるという効果がある。
【００３１】
そして、本発明の危険物安全開閉容器は、蓋部の開放時に、容器部の入口端部が所定角度で制限的に開封されるようにして、蓋部の開封時に発生し得る揺れによって収納物が外部に漏れるのを防止できるという効果がある。
【００３２】
また、本発明の危険物安全開閉容器は、容器部と蓋部を二重構造で密閉できるように密封力を向上させて、外部空気によって容器部の内部に充填した収納物が変質するのを防止できるという効果がある。
【００３３】
また、本発明の危険物安全開閉容器は、回転により安全ロック状態が決定されるロック突起の回転角度を制限することで、安全ロック状態の解除に対する操作性を向上させることができるという効果がある。
【００３４】
また、本発明の危険物安全開閉容器は、安全容器の最初の開封前の状態を確認できるようにすることで、安全容器に充填された収納物の開封状態に対する信頼性を向上させることができるという効果がある。
【００３５】
そして、本発明の危険物安全開閉容器は、薬品等の収納物を充填した安全容器の製造において、容器部に蓋部を加圧方法でキャッピング工程を行うことができ、仕上げ工程を簡単化することにより、安全容器に収納物を充填した商品の製造コストを節減できると同時に、切取帯による偽造防止機能を同時に備えることができ、製品に対する信頼度を向上させることができるという効果がある。
【００３６】
本発明は、実施例及び図面により限定されるものではなく、本発明の精神及び範囲を逸脱することなく、本発明の形態及び細部に様々な変更を加えることができることは当業者には明らかであろう。
【発明を実施するための最良の形態】
【００３７】
以下、添付した図面を参照して本発明の好ましい実施例を詳細に説明する。
まず、全図において、同一構成要素及び部品は、同一参照符号を付けていることに留意されたい。本発明を説明するにおいて、関連公知機能や構成に関する詳細な説明は、本発明の要旨を不明瞭にしないため省略する。
【００３８】
まず、図１〜図１３に示したように、本発明の危険物安全開閉容器は、上部を開口した入口端部１１０の下部に長溝１４０を部分形成する係止突起１３０を内向きに突出させるとともに、その下部外周縁にガイド突起１２０を形成する容器部１００と、前記容器部１００の係止突起１３０にベルト手段２１０を介して回転可能に結合し、ベルト手段２１０にリンク部２１２を媒介にして一体に連結され、入口端部１１０に開閉可能に結合される蓋手段２２０からなる蓋部２００と、前記蓋部２００に垂直下方に結合して、蓋部２００と一体に連動するようにし、外向きに突出するロック突起３２０が、蓋部２００の回転により係止突起１３０或いは長溝１４０に位置することに応じて、蓋部２００の開閉を選択的に行うことができるようにした安全ロック部３００で構成する。
【００３９】
ここで、容器部は、上部を開口した入口端部１１０の下部方向の外周縁にガイド突起１２０を複数形成し、入口端部の内周縁の下部方向には係止突起１３０を内向きに突出させて形成するとともに、係止突起１３０の一部分に長溝１４０が切欠形成される。
【００４０】
また、蓋部２００は、容器部１００の係止突起１３０に回転可能に結合されるように、スライド突起２１１を内周縁に形成するベルト手段２１０に屈曲自在なリンク部２１２を媒介にして蓋手段２２０を一体に連結し、蓋手段２２０の縁には密封フランジ２２１を垂直下方に形成して、内周縁に突出させた密閉突起２２１ａが、入口端部１１０の外周縁に弾力的にかかるようにし、密封フランジ２２１と同心円状に内部に結合フランジ２２２を形成した後、その内周縁に結合突起２２２ａを形成し、密封フランジ２２１の外周縁には開閉取手２２４を形成する。
【００４１】
そして、安全ロック部３００は、蓋部２００の結合フランジ２２２内周縁に結合されるように、外周縁に固定突起３１０を形成して、弾力的に蓋部２００の結合突起２２２ａにかかって一体に固定されるようにし、下端部の一側にはロック突起３２０を外部に突出させて、蓋部２００と一体に連動する時にロック突起３２０が容器部１００の長溝１４０を介して係止突起１３０の下端部に位置するようにした後、蓋部２００の回転により選択的に蓋部２００と容器部１００の係止状態を保持及び解除するようにする。
【００４２】
また、図８〜図１０に示したように、本発明の危険物安全開閉容器のもう一つの実施例は、上部を開口した入口端部１１０の下部方向の外周縁にガイド突起１２０を複数形成し、入口端部１１０の内周縁の下部方向には密閉突起１５０と係止突起１３０が複数突出するように形成し、密閉突起１５０より係止突起１３０が内向きにより突出するように形成した後、係止突起１３０の一部分に長溝１４０を切開した容器部１００と、前記容器部１００の係止突起１３０に回転可能に結合するように、スライド突起２１１を内周縁に形成したベルト手段２１０に屈曲自在なリンク部２１２を媒介にして蓋手段２２０を一体に連結し、蓋手段２２０の縁には密封フランジ２２１を垂直下方に形成して、内周縁に突出させた密閉突起２２１ａが、容器部１００の入口端部１１０の外周縁に弾力的にかかるようにし、密封フランジ２２１と同心円状に内部に結合フランジ２２２を形成して、容器部１００に結合する時に結合フランジ２２２の外周縁が係止突起１３０に密着するようにして、容器の内部を完全密閉することができるようにし、密封フランジ２２１の外周縁には開閉取手を形成する蓋部２００と、前記蓋部２００の結合フランジ２２２内周縁に結合するように、外周縁に固定突起３１０を形成して、弾力的に蓋部２００の結合段差２２２ａにかかって一体に固定されるようにし、固定突起３１０の下部を内向きに折曲して下端部の一側に突出させたロック突起３２０が容器部１００の密閉突起１５０に干渉されないようにするとともに、蓋部２００と一体に連動する時に、ロック突起３２０が容器部の長溝を介して係止突起の下端部に位置するようにした後、蓋部２００の回転により選択的に蓋部２００と容器部１００の係止状態を保持及び解除するようにする安全ロック部３００で構成する。
【００４３】
このように構成される本発明の危険物安全開閉容器１０は、前記容器部１００の複数のガイド突起１２０間の外周縁に、標識突起１６０を連続的に形成し、容器部１００の長溝１４０が位置する幅だけ標識突起１６０に位置標示端部１６１を形成して、ベルト手段２１０のスライド突起２１１の下方に形成した摩擦突起２１３が標識突起１６０に部分噛合するようにし、容器部１００で蓋部２００を開放するための回転時に、標識突起１６０と摩擦突起２１３との間で摩擦音が発生するようにする一方、長溝１４０にロック突起３２０が位置すると、摩擦突起２１３が標識突起１６０から離れて、位置標示端部１６１に位置して、それ以上摩擦音が発生しないようにする。（図１３参照）
【００４４】
すなわち、安全ロック部３００により容器部１００でロック状態を保持する蓋部２００を開放するために前記蓋部２００を回転させると、標識突起１６０で摩擦突起２１３が回転しながら摩擦音が発生してロック状態を知らせるようにし、摩擦突起２１３が標識突起１６０において表面が平面になる位置標示端部１６１に位置し、摩擦音が消滅する時点で、容器部１００の長溝１４０に安全ロック部３００のロック突起３２０が位置したことを外部に知らせるようにして、摩擦音の発生有無によって容器部１００における蓋部２００のロック状態がチェックできるようにする。（図１３参照）
【００４５】
さらに、蓋部２００のベルト手段２１０と容器部１００に各々基準線２１４を形成するとともに、容器部１００の入口端部１１０には長溝１４０の中心部の位置を知らせる基準線２１４を形成し、ベルト手段２１０の外周縁にロック突起３２０の中心部の位置を知らせる基準線２１４を各々形成して、相互基準線２１４が一致する場合、容器部１００の長溝１４０にロック突起３２０が位置し、ロック状態が解除される状況を外部に表示できるようにすることを含むことができる。（図２参照）
【００４６】
そして、前記蓋部２００の結合フランジ２２２の後側端部には、線状の延長突起２２３を形成して、容器部１００においてリンク部２１２を介して開閉する蓋部２００の延長突起２２３が、容器部１００の入口端部１１０にかかって蓋部２００の開閉角度が制限されるようにする。
【００４７】
これは、容器部１００において安全ロック状態が解除されている蓋部２００を開放する場合、ユーザーが手で蓋部２００の開閉取手２２４を上向きに押し上げた時、過度に与えられる力によって蓋部２００が容器部１００から完全に開放されて発生する揺れによって、容器部１００の収納物が外部に漏れることを防止するためである。（図５及び図１０参照）
【００４８】
そして、前記容器部１００の入口端部１１０の内周縁には、回転制限部材１８０を対称に形成して、蓋部２００の開放のために容器部１００の長溝１４０に安全ロック部３００のロック突起３２０の位置を一致させる時や、蓋部２００の開放後にロック状態を実行するために蓋部２００を回転させる時に、その回転角度を制限することによって、その後の蓋部２００を開放する作業をより迅速且つ円滑に行うことができるようにする。
【００４９】
また、前記蓋部２００の結合フランジ２２２の内周縁にガイド突起２２２ｂを垂直に形成し、これと対応する安全ロック部２００の外周縁にガイド溝３４０を形成して、相互結合により蓋部１００に安全ロック部３００が定位置に結合されるようにして、危険物安全開閉容器１０の組立性を向上させることができる。（図１参照）
【００５０】
さらに、収納物を収納した容器部１００に蓋部２００を結合させた後、最初の開封前の状態を確認及び保持するために、蓋部２００の蓋手段２２０とベルト手段の対応する外周縁の端部に破断形態の切取帯１７０を一体に形成し、切取帯１７０の一側端部に形成した把持部材１７１を持って切取帯１７０を容器部の外周縁に沿って切り取ることができるようにする。（図１１参照）
【００５１】
以下、このような本発明の作用を説明する。
【００５２】
まず、洗浄剤、接着剤等、各種化学生活用品及び薬品等が充填されている危険物安全開閉容器１０の把持部材１７１を容器部１００の外周縁に引っ張って破断形態の切取帯１７０を蓋部２００の蓋手段２２０とベルト手段２１０から切り取る。
【００５３】
その後、容器部１００で蓋部２００を開放する場合、蓋部２００の把持部材１７１を上向きに押して、リンク部２１２を基点に蓋部２００を上向きに回転させて容器部１００から開放されるようにする。
【００５４】
この場合、蓋部２００と連動する安全ロック部３００は、ロック突起３２０が容器部１００の係止突起１３０に部分的に切欠した長溝１４０を介して外部に離脱し、容器部１００において蓋部２００を開放できるようにすると同時に、蓋部２００の延長突起２２３は、容器部１００の入口端部１１０にかかって開放される蓋部２００の開放角度を制限して、蓋部２００の開放時に発生し得る揺れによって容器部１００内部に充填されている収納物が外部に漏れないようにする。
【００５５】
このように、容器部１００で蓋部２００を開放して収納物を外部に取り出した後、開放された蓋部２００を容器部１００に被せて安全に安全ロックできるように、蓋部２００を容器部１００の入口端部１１０側に回転させた後、加圧して蓋部２００の密封フランジ２２１の密閉突起２２１ａが入口端部１１０の切曲した外周縁に密着して結合されるようにして、容器部１００の収納空間を外部と隔離させる。
【００５６】
また、蓋部２００と連動する安全ロック部３００のロック突起３２０は、容器部１００の長溝１４０を介して、係止突起１３０の下端部に位置すると同時に、安全ロック部３００の外周縁が係止突起１３０の内周縁に密着されるように結合し、蓋部２００が容器部１００において二重構造で密封状態を保持できるように結合させる。
【００５７】
特に、容器部１００の入口端部１１０の内周縁に密閉突起１５０及び係止突起１３０を二重構造に形成できるようにすることで、蓋部２００の密封フランジ２２１と結合フランジ２２２により、その密封状態を二重構造にすることによって、外部の空気が流入して収納物が変質することを防ぐようにする。
【００５８】
次に、安全ロックをするために蓋部２００を１対の回転制限部材１８０の角度範囲内で回転させて、長溝１４０の下端部に位置したロック突起３２０が、長溝１４０から離脱して係止突起１３０の下端部に位置するようにする。
【００５９】
このように、蓋部２００の回転により安全ロック状態を実行すれば、蓋部２００を上向きに押しても、係止突起１３０にロック突起３２０がかかっていて、蓋部２００が容器部１００から開放されないようになる。
【００６０】
その後、安全ロックされている危険物安全開閉容器１０の安全ロックを解除するために蓋部２００を回転させると、容器部１００の外周縁に連続的に形成されている標識突起１６０に蓋部２００の摩擦突起２１３が摩擦音を発生しながら回転するようになり、係止突起１３０の長溝１４０にロック突起３２０が位置すると同時に、摩擦突起２１３が表面模様のない位置標示端部１６１に位置して、標識突起１６０によって発生する摩擦音が消滅し、ユーザーが安全ロック状態を解除できる状況を簡単に区分できるようにする。
【００６１】
この場合、摩擦音の他にも、蓋部２００のベルト手段２１０と容器部１００の入口端部１１０の外周縁に表示した基準線が、互いに一致するか否かを肉眼で確認して、安全ロック状態が解除できる状況を確認できるようにする。
【００６２】
上記のように、安全ロック状態が解除されて以降は、把持部材１７１を介して蓋部２００を上向きに押して再開封できるようにして、子供の保護と関連した各種化学生活用品及び薬品容器の安全基準に従って、成人が開封することは難しくないが、子供が所定時間内に収納物を取り出すことを難しくすることで、子供の中毒及び服毒事故を予防することができる効果がある。
【図面の簡単な説明】
【００６３】
【図１】本発明の危険物安全開閉容器を示した分解斜視図。
【図２】本発明の危険物安全開閉容器の蓋部を開放させた状態を示した斜視図。
【図３】本発明の危険物安全開閉容器の蓋部を密閉した状態を示した斜視図。
【図４】本発明の危険物安全開閉容器の開放させる前の状態を示した断面図。
【図５】本発明の危険物安全開閉容器の開放させた後の状態を示した断面図。
【図６】本発明の危険物安全開閉容器の開放させる前の状態を示した斜視断面図。
【図７】本発明の危険物安全開閉容器の開放させた後の状態を示した斜視断面図。
【図８】本発明の危険物安全開閉容器の他の実施例を示した断面図。
【図９】図８の危険物安全開閉容器を開放させる前の斜視断面図。
【図１０】図８の危険物安全開閉容器を開放させた後の斜視断面図。
【図１１】本発明の危険物安全開閉容器の切取帯及び把持部材を示した斜視図。
【図１２】本発明の危険物安全開閉容器の長溝を示した分解斜視図。
【図１３】本発明の危険物安全開閉容器のＡ−Ａ線断面図。
【符号の説明】
【００６４】
１０    危険物安全開閉容器
１００    容器部
１１０    入口端部
１２０    ガイド突起
１３０    係止突起
１４０    長溝
１５０    密閉突起
１６０    標識突起
１６１    位置標示端部
１７０    切取帯
１７１    把持部材
１８０    回転制限部材
２００    蓋部
２１０    ベルト手段
２１１    スライド突起
２１２    リンク部
２１３    摩擦突起
２１４    基準線
２２０    蓋手段
２２１    密封フランジ
２２１ａ    密閉突起
２２２    結合フランジ
２２２ａ    結合突起
２２２ｂ    ガイド突起
２２３    延長突起
２２４    開閉取手
３００    安全ロック部
３１０    固定突起
３２０    ロック突起
３３０    延長突起
３４０    ガイド溝
【図１】
2009538795.tif 000003
【図２】
2009538795.tif 000004
【図３】
2009538795.tif 000005
【図４】
2009538795.tif 000006
【図５】
2009538795.tif 000007
【図６】
2009538795.tif 000008
【図７】
2009538795.tif 000009
【図８】
2009538795.tif 000010
【図９】
2009538795.tif 000011
【図１０】
2009538795.tif 000012
【図１１】
2009538795.tif 000013
【図１２】
2009538795.tif 000014
【図１３】
2009538795.tif 000015
【国際調査報告】
2009538795.tif 000016
2009538795.tif 000017